(57)【要約】      （修正有）【課題】表面の凹凸を少なくして汚れが付き難くお年寄りや身障者にも安全に使用できる介護用椅子を提供する。【解決手段】肘掛パイプ９の後端部をＬ字形に折り曲げ、基部パイプ６両端に連結部材１１を介し肘掛パイプ９を回転自在に接合することで肘掛体８を上方に跳ね上げ可能に設けたもので、連結部材１１は、軸受孔１４と切欠１５が形成された軸受部材１２と、支軸１８が形成された軸形成部材１３を備え、支軸１８は軸受部材１２に回転自在に挿入され、支軸１８の外周にストッパピン１９を固植し、ストッパピン１９と切欠１５により支軸１８の回転が一定角度だけ許容されるようにし、かつ軸受部材１２と軸形成部材１３の胴部一端面との間に支軸１８にコイルバネ２１を外嵌しストッパピン１９を切欠１５の内壁面に摺接させ、基部パイプ６の端部外周に固着した筒状キャップ２３により基部パイプ６の端縁と肘掛パイプ９の後端部外周を略々隙間無く被う。【選択図】図３
2008113680.tif 000002
【特許請求の範囲】
【請求項１】
金属製丸パイプからなる基部パイプを背もたれ板の裏側に水平に固設し、金属製丸パイプからなる肘掛パイプに肘掛体を固着すると共に該肘掛パイプの後端部をＬ字形に折り曲げ、前記基部パイプの両端に連結部材を介して肘掛パイプの後端を回転自在に接合することにより肘掛体を上方に跳ね上げ可能に設けたものであって、該連結部材は中心に軸受孔を形成するとともに該軸受孔と連通する切欠が形成された円筒状の軸受部材と、円柱状の胴部の一端面中心より支軸が突出状に形成された軸形成部材を備えており、該支軸は該軸受部材の一端より軸受孔中に回転自在に挿入され、該支軸の外周にストッパピンを固植し、該ストッパピンが前記切欠中にて該支軸と一体的に回転することにより該支軸の回転が一定角度だけ限定的に許容されるようにし、かつ該軸受部材と軸形成部材の胴部一端面との間にて圧縮状態となるように前記支軸にコイルバネを外嵌することにより前記ストッパピンを前記切欠の内壁面に摺接させてなり、肘掛パイプの後端開口より該軸形成部材の胴部を挿入して該胴部を該肘掛パイプ中に固着し、基部パイプの両端開口より前記軸受部材を挿入して該軸受部材を該基部パイプ中に固着し、該基部パイプの端部外周に固着した筒状キャップにより該基部パイプの端縁と肘掛パイプの後端部外周を略々隙間無く被うようにしたことを特徴とする介護用椅子の肘掛取付構造。
【発明の詳細な説明】
【技術分野】
【０００１】
本発明は、シャワー室等で使用される介護用椅子であって、その椅子の肘掛を取り付ける構造に関するものである。
【背景技術】
【０００２】
シャワー室等で身障者や肢体不自由な老人などを着座させ身体を洗うために従来から金属パイプ製の介護用椅子が使用されている。
この介護用椅子には使用者が安定して座っておられるように肘掛を設けたものがあるが、肘掛があると使用者が立ったり座ったりする際に邪魔になるので、邪魔にならないように例えば肘掛がヒンジされていて自在に跳ね上げられるように構成されていることが望ましい。
【０００３】
なお、下記特許文献１は、肘掛の高さや角度が変更できるように構成された身障者用の椅子を示すものである。また、下記特許文献２〜４には、主として遊技場用であって肘掛が後方に自在に跳ね上げられるように構成された椅子が示されている。
【特許文献１】特開平９−２２０１３４号公報
【特許文献２】実開平６−１７５４３号公報
【特許文献３】実開平６−６４５５３号公報
【特許文献４】特開平８−１５００４１号公報
【発明の開示】
【発明が解決しようとする課題】
【０００４】
しかし、肘掛を上記特許文献に示されているような一般的な構造でヒンジすると、外観上そのヒンジ機構が凹凸状になり、使用者の身体に触れて危険であったり、汚れや石鹸等が付き易くなり、また汚れや石鹸等を洗い流しにくくするという問題があった。
【課題を解決するための手段】
【０００５】
本発明に係る介護用椅子の肘掛取付構造は上記課題を解決しようとするもので、金属製丸パイプからなる基部パイプを背もたれ板の裏側に水平に固設し、金属製丸パイプからなる肘掛パイプに肘掛体を固着すると共に該肘掛パイプの後端部をＬ字形に折り曲げ、前記基部パイプの両端に連結部材を介して肘掛パイプの後端を回転自在に接合することにより肘掛体を上方に跳ね上げ可能に設けたものであって、該連結部材は中心に軸受孔を形成するとともに該軸受孔と連通する切欠が形成された円筒状の軸受部材と、円柱状の胴部の一端面中心より支軸が突出状に形成された軸形成部材を備えており、該支軸は該軸受部材の一端より軸受孔中に回転自在に挿入され、該支軸の外周にストッパピンを固植し、該ストッパピンが前記切欠中にて該支軸と一体的に回転することにより該支軸の回転が一定角度だけ限定的に許容されるようにし、かつ該軸受部材と軸形成部材の胴部一端面との間にて圧縮状態となるように前記支軸にコイルバネを外嵌することにより前記ストッパピンを前記切欠の内壁面に摺接させてなり、肘掛パイプの後端開口より該軸形成部材の胴部を挿入して該胴部を該肘掛パイプ中に固着し、基部パイプの両端開口より前記軸受部材を挿入して該軸受部材を該基部パイプ中に固着し、該基部パイプの端部外周に固着した筒状キャップにより該基部パイプの端縁と肘掛パイプの後端部外周を略々隙間無く被うようにしたことを特徴とする。
【発明の効果】
【０００６】
軸受用の部品が金属製丸パイプ内に完全に隠され部品が外観に表れず、凹凸も少ないので、見た目がすっきりすると共に、汚れが付き難く、また汚れが付いても簡単に洗浄できる。また、お年寄りや身障者にも安全に使用することができる。
【発明を実施するための最良の形態】
【０００７】
図１は本発明に係る介護用椅子の斜視図で、金属製丸パイプからなる４本の脚１により合成樹脂製の座板２が水平に支持されていると共に、合成樹脂製の背もたれ板３が同じく金属製丸パイプからなる２本の支柱４により起立状に支持されている。そして、該背もたれ板３の裏側に取付部５を形成し、該取付部に金属製丸パイプからなる基部パイプ６をビス７によって水平に固設している。８は弾性クッション材が内包された平面長円形状の肘掛体で、該肘掛体は前記基部パイプ６よりも少し細径の金属製丸パイプからなる肘掛パイプ９の先端部に上面にビス１０によって固着される。また、該肘掛パイプ９の後端部はＬ字形に折り曲げられ、前記基部パイプ６の両端に後述する連結部材１１を介して回転自在に接合することにより肘掛体８を図２に破断線で示したように上方に跳ね上げ可能に設けている。
【０００８】
連結部材１１は、図３，図４の断面図、および、図５，図６の分解斜視図にも示したように、基部パイプ６側に固着される軸受部材１２と、肘掛パイプ９側に固着される軸形成部材１３とからなる。軸受部材１２は中心に軸受孔１４を形成するとともに該軸受孔と連通する切欠１５が形成された円筒状のものである。なお、切欠１５は、図４に示されるように、軸受孔１４を中心とする鈍角にて扇状に拡がる扇形に形成されたものである。１６は該軸受部材１２の一端に形成されたフランジ部である。また、軸形成部材１３は円柱状の胴部１７の一端面中心より支軸１８が突出状に形成され、該支軸１８の外周にストッパピン１９を固植するための止孔２０を形成している。２１は支軸１８に外嵌されるコイルバネである。該コイルバネ２１を支軸１８に外嵌し、該支軸１８を該軸受部材１２の一端より軸受孔１４中に回転自在に挿入した後、切欠１５より止孔２０にストッパピン１９を差し込むことで該ストッパピン１９を該支軸１８の外周に固植する。これによって支軸１８は軸受孔１４から抜脱しなくなる。このため該ストッパピン１９が前記切欠１５中にて該支軸１８と一体的に回転することにより該支軸１８の回転が一定角度だけ限定的に許容されるようにしている。また、コイルバネ２１は軸受部材１２と軸形成部材１３の胴部１７一端面との間にて圧縮状態となるので、該コイルバネ２１の弾性によりストッパピン１９は切欠１５の内壁面に摺接する。これによって支軸１８が回転する際に適度な摩擦抵抗が付与される。
【０００９】
そして、肘掛パイプ９の後端開口より軸形成部材１３の胴部１７を挿入して該胴部を該肘掛パイプ中に固着し、基部パイプ６の両端開口より前記軸受部材１２を挿入して該軸受部材１２を基部パイプ６中に固着することにより、該連結部材１１が該介護用椅子の金属製丸パイプからなる基部パイプ６および肘掛パイプ９に組み込まれる。なお、２２は軸受部材１２の外周と基部パイプ６の内周との間に寸法調整のために介在させている筒体（カラー）である。また、基部パイプ６の端部外周に樹脂製の筒状キャップ２３を固着し、該筒状キャップにより該基部パイプ６の端縁と肘掛パイプ９の後端部外周が略々隙間無く被われるようにしている。
【００１０】
このように構成した介護用椅子は、シャワー室等で使用され、身障者や肢体不自由な老人などを着座させるに際して肘掛体８を上方に跳ね上げることで、着座させ易くなると共に、肘掛体８を降ろすことで身体を安定させることができる。また、この肘掛取付構造によれば、軸受部材１２、軸形成部材１３、ストッパピン１９、コイルバネ２１等の軸受用の部品が金属製丸パイプ内に隠されると共に、筒状キャップ２３により基部パイプ６と肘掛パイプ９との継ぎ目も完全に被われるので、見た目がすっきりすると共に、汚れが付き難く、また汚れが付いても簡単に洗浄できる。また、お年寄りや身障者にも安全に使用することができると共に、凹凸が少ないので、お年寄りや身障者の手に触れても怪我をすることなく安全に使用することができる。
【図面の簡単な説明】
【００１１】
【図１】本発明に係る介護用椅子の斜視図。
【図２】本発明に係る介護用椅子の側面図。
【図３】本発明に係る介護用椅子の肘掛取付部の縦断面図。
【図４】図３のＡ−Ａ線断面図。
【図５】本発明に係る介護用椅子の肘掛取付部の分解斜視図。
【図６】本発明に係る介護用椅子の肘掛取付部の連結部材の分解斜視図。
【符号の説明】
【００１２】
１    脚
２    座板
３    背もたれ板
４    支柱
５    取付部
６    基部パイプ
８    肘掛体
９    肘掛パイプ
１１  連結部材
１２  軸受部材
１３  軸形成部材
１４  軸受孔
１５  切欠
１７  胴部
１８  支軸
１９  ストッパピン
２１  コイルバネ
２３  筒状キャップ
【図１】
2008113680.tif 000003
【図２】
2008113680.tif 000004
【図３】
2008113680.tif 000005
【図４】
2008113680.tif 000006
【図５】
2008113680.tif 000007
【図６】
2008113680.tif 000008